(57)【要約】【課題】コイル引き出し線の断線を他部品を用いることなく簡単な構成で安価に防ぐことができる電動工具を提供すること。【解決手段】空気を吸入するための空気吸入口と空気を排出するための空気排出口が形成されたハウジングと、該ハウジング内に収容固定され、コア２１ａに巻装されたコイル２１ｂがモールド樹脂２３によって覆われている固定子２１と、回転可能に配置された回転子とを備える電動モータと、該電動モータを冷却するために前記空気吸入口から前記ハウジング内に空気を取り入れて前記空気排出口に空気を吹き出すファンと、を備えた電動工具において、前記モールド樹脂２３の前記コイル２１ｂの引き出し部根元との境界部の角を曲面２３ａにて連結する。【選択図】図４
2008260102.tif 000002
【特許請求の範囲】
【請求項１】
空気を吸入するための空気吸入口と空気を排出するための空気排出口が形成されたハウジングと、該ハウジング内に収容固定され、コアに巻装されたコイルがモールド樹脂によって覆われている固定子と、回転可能に配置された回転子とを備える電動モータと、
該電動モータを冷却するために前記空気吸入口から前記ハウジング内に空気を取り入れて前記空気排出口に空気を吹き出すファンと、
を備えた電動工具において、
前記モールド樹脂の前記コイルの引き出し部根元との境界部の角を曲面にて連結したことを特徴とする電動工具。
【請求項２】
前記固定子のコアに巻装されたコイルと、導線が絶縁物で覆われた被覆線とが電気的に接続されており、前記モールド樹脂からの前記コイル引き出し部が前記被覆線から成ることを特徴とする請求項１記載の電動工具。
【請求項３】
前記モールド樹脂に弾性率の異なる複数種の樹脂材を用いたことを特徴とする請求項１又は２記載の電動工具。
【請求項４】
前記コイル引き出し部根元との境界部近傍のモールド樹脂は、他の部分に比べて弾性率の小さい樹脂であることを特徴とする請求項１〜３の何れかに記載の電動工具。
【発明の詳細な説明】
【技術分野】
【０００１】
本発明は、樹脂によりモールドされたコイルを有する電動モータを備えた電動工具に関するものである。
【背景技術】
【０００２】
従来から電動工具に備えられる電動モータとして様々な構造が提案されている。例えば、一部に絶縁紙が巻かれたコイルを固定子コアのスロットへ嵌め込み、コイルと固定子コアの一部とを樹脂により一体に覆い、コイルと固定子コアとの形状安定化を図っているものがある（例えば、特許文献１参照）。
【０００３】
又、コイルの引き出し線の根元に例えばシリコン等の樹脂から成るチューブを備え、コイルとチューブの一部を共に樹脂により一体に覆っているものもある。
【特許文献１】特開平８−００９６０１号公報
【発明の開示】
【発明が解決しようとする課題】
【０００４】
しかしながら、従来の電動工具に備えられる電動モータでは、電動工具使用時の振動や内部配線によっては固定子コイルの引き出し線を根元から屈曲させて配線する必要があり、それらにより固定子コイルの引き出し線の根元部に過大な応力が掛かったり、コイルを覆う樹脂と接触、摺接することによってコイル引き出し線の断線を招いていた。
【０００５】
又、コイル引き出し線の根元に弾性率の小さい別部材を備えることにより、コイル引き出し線の根元への応力を緩和することが可能であるが、個々に別部材を用いる分だけコストが掛かってしまう。
【０００６】
本発明は上記問題に鑑みてなされたもので、その目的とする処は、コイル引き出し線の断線を他部品を用いることなく簡単な構成で安価に防ぐことができる電動工具を提供することにある。
【課題を解決するための手段】
【０００７】
上記目的を達成するため、請求項１記載の発明は、空気を吸入するための空気吸入口と空気を排出するための空気排出口が形成されたハウジングと、該ハウジング内に収容固定され、コアに巻装されたコイルがモールド樹脂によって覆われている固定子と、回転可能に配置された回転子とを備える電動モータと、
該電動モータを冷却するために前記空気吸入口から前記ハウジング内に空気を取り入れて前記空気排出口に空気を吹き出すファンと、
を備えた電動工具において、
前記モールド樹脂の前記コイルの引き出し部根元との境界部の角を曲面にて連結したことを特徴とする。
【０００８】
請求項２記載の発明は、請求項１記載の発明において、前記固定子のコアに巻装されたコイルと、導線が絶縁物で覆われた被覆線とが電気的に接続されており、前記モールド樹脂からの前記コイル引き出し部が前記被覆線から成ることを特徴とする。
【０００９】
請求項３記載の発明は、請求項１又は２記載の発明において、前記モールド樹脂に弾性率の異なる複数種の樹脂材を用いたことを特徴とする。
【００１０】
請求項４記載の発明は、請求項１〜３の何れかに記載の発明において、前記コイル引き出し部根元との境界部近傍のモールド樹脂は、他の部分に比べて弾性率の小さい樹脂であることを特徴とする。
【発明の効果】
【００１１】
本発明によれば、モールド樹脂のコイルの引き出し部根元との境界部の角を曲面にて連結したため、電動工具使用時の振動やコイル引き出し線の配回しによるコイル引き出し線の根元への応力を緩和することができるとともに、モールド樹脂との摺接を防ぐことができ、コイル引き出し線の断線を他部品を用いることなく簡単な構成で安価に防ぐことができる。
【発明を実施するための最良の形態】
【００１２】
以下に本発明の実施の形態を添付図面に基づいて説明する。
【００１３】
図１は本発明に係る電動工具の一形態としての携帯用丸鋸１の破断側面図であり、図示の携帯用丸鋸１は、モータ２０を内部に支持収納するハウジング２と、ハンドル３と、モータ２０により回転駆動される鋸刃４と、ソーカバー５と、ベース６と、ファン７とを主に備えている。
【００１４】
前記ハウジング２の一端側には、該ハウジング２の内部と外部とを連通させる空気吸入口２ａが形成されている。前記ハンドル３は、ハウジング２に一体又は別部材として連結して設けられ、モータ２０の駆動を制御する不図示のスイッチを備えている。鋸刃４は、切断可能な方向（正転方向）にのみ回転可能に設けられている。ソーカバー５は、ハウジング２に取り付けられ、鋸刃４の外周の上側半分を覆う形状を有している。
【００１５】
ソーカバー５には、後述するファン風を排出するためのファン風排出口５ａが形成されている。ベース６は、ソーカバー５を介してハウジング２と連結され、被切断材上を摺動可能な底面６ａを有し、鋸刃４を底面６ａより下方に突出させる不図示の開口部が形成されている。
【００１６】
モータ２０は、固定子２１と回転子２２を有しており、固定子２１はコア２１ａにコイル２１ｂが巻装され、モールド樹脂２３で覆われている。回転子２２には、固定子２１と回転子２２を冷却するためのファン７が回転子軸２２ａに固定して設けられている。
【００１７】
又、上記回転子軸２２ａの一端側にはピニオンギヤ８が設けられており、回転子軸２２ａとピニオンギヤ８は、ハウジング２の空気吸入口２ａ側端部及びソーカバー５に設けられた第１軸受９，１０によって回転可能に支承されている。ソーカバー５内には回転子軸２２ａと平行に延びる駆動軸１１が第２軸受１２，１３によって回転可能に支承されている。駆動軸１１のハウジング２側には、ピニオンギヤ８と噛合するギヤ１４が駆動軸１１と同軸に固定されており、駆動軸１１には、一対の鋸刃固定部材１５が駆動軸１１に対して回転不能に取り付けられている。そして、鋸刃４は、一対の鋸刃固定部材１５間に挟持固定されている。
【００１８】
携帯用丸鋸１には、ソーカバー５内において駆動軸１１の軸心を中心に回動可能に保持された保護カバー１６が設けられており、この保護カバー１６は、ソーカバー５内に収納可能であって、鋸刃４外周のほぼ半分を覆う形状を有している。又、この保護カバー１６には、手動回動操作用のレバー１６ａが取り付けられており、該保護カバー１６は、付勢手段であるスプリング１７によって付勢されており、図１に示すように大部分がベース６の底面６ａよりも下方に突出し、鋸刃４の外周が露出するのを防止する回動位置が初期状態となっている。切断作業時には、保護カバー１６の切断方向前方側端部（図１の紙面垂直方向手前側）が被切断材の端部に当接し、その状態で携帯用丸鋸１が切断方向に摺動することによってスプリング１７の付勢力に抗して保護カバー１６がソーカバー５内に収納されるように駆動軸１１の軸心を中心に回動し、ベース６の底面６ａ側において鋸刃４が露出する。
【００１９】
次に、前記固定子２１の詳細を図２〜図５に基づいて説明する。
【００２０】
図２は固定子２１の正面図、図３は同固定子２１の斜視図、図４は図２のＡ−Ａ線断面図、図５は図４の部分拡大詳細図である。
【００２１】
固定子２１は、コア２１ａにコイル２１ｂが巻装され、その全体を覆う高熱伝導性・絶縁性・熱硬化性のモールド樹脂２３を有している。尚、モールド樹脂２３には、例えばアルミナを添加したビニルエステル樹脂が用いられる。
【００２２】
上記コイル２１ｂの端末は、導線２４ａを絶縁物から成る被覆２４ｂで覆って構成された被覆線２４とスロット２１ｃ内で電気的に接続されており、コイル２１ｂを覆ったモールド樹脂２３から外部に引き出されており、モールド樹脂２３の被覆線２４との境界部は曲面２３ａにて連結されている。
【００２３】
而して、本実施の形態によれば、モールド樹脂２３の被覆線２４との境界部を曲面２３ａにて連結したため、携帯用丸鋸１の使用時の振動や被覆線２４の配回しによる該被覆線２４の根元への応力を緩和することができるとともに、モールド樹脂２３との摺接を防ぐことができ、被覆線２４の断線を他部品を用いることなく簡単な構成で安価に防ぐことができる。
【００２４】
尚、以上は本発明を特に携帯用丸鋸に適用した形態について説明したが、本発明は、その適用が携帯用丸鋸に限定されず、他の任意の電動工具に対しても同様に適用可能であり、特許請求の範囲に記載した範囲で種々の変形や改良が可能である。
【図面の簡単な説明】
【００２５】
【図１】本発明に係る電動工具（携帯用丸鋸）の破断側面図である。
【図２】本発明に係る電動工具（携帯用丸鋸）の固定子の正面図である。
【図３】本発明に係る電動工具（携帯用丸鋸）の固定子の斜視図である。
【図４】図２のＡ−Ａ線断面図である。
【図５】図４の部分拡大詳細図である。
【符号の説明】
【００２６】
１          携帯用丸鋸
２          ハウジング
２ａ        空気吸入口
３          ハンドル
４          鋸刃
５          ソーカバー
５ａ        ファン風排出口
６          ベース
６ａ        底面
７          ファン
８          ピニオンギヤ
９，１０    第１軸受
１１        駆動軸
１２，１３  第２軸受
１４        ギヤ
１５        鋸刃固定部材
１６        保護カバー
１６ａ      レバー
１７        スプリング
２０        モータ
２１        固定子
２１ａ      コア
２１ｂ      コイル
２１ｃ      スロット
２２        回転子
２２ａ      回転子軸
２３        モールド樹脂
２３ａ      曲面
２４        被覆線
２４ａ      導線
２４ｂ      被覆
【図１】
2008260102.tif 000003
【図２】
2008260102.tif 000004
【図３】
2008260102.tif 000005
【図４】
2008260102.tif 000006
【図５】
2008260102.tif 000007